(57)【要約】【課題】外気の状態変化に対しても、所要露点温度の低湿空気を安定的に対象室に供給することができ、かつ、対象室から排出される高温排気の保有熱を高い回収効率で安定的に回収することができる熱回収式の低湿空気供給システムを提供する。【解決手段】吸着ロータ式除湿装置２で除湿した空気ＳＡを対象室１に供給し、対象室１から排出される高温排気ＥＡを再生用空気として吸着ロータ式除湿装置２に送る構成において、除湿空気ＳＡと高温排気ＥＡとを熱交換させる熱交換手段１２を設け、この熱交換手段１２での熱交換量を調整して除湿空気ＳＡの露点温度を調整する除湿制御手段１５を設ける。【選択図】図１
2011255264.tif 000002
【特許請求の範囲】
【請求項１】
吸着剤を保持させた通気性の吸着ロータを回転させて、その吸着ロータの回転方向におけるロータ各部を除湿対象空気の通風域である吸着域と再生用空気の通風域である脱着域とに交互に位置させる吸着ロータ式の除湿装置を設け、
外気を除湿対象空気として前記除湿装置の吸着域に通過させて除湿し、この除湿空気を室内調整用の低湿空気として対象室に供給する給気手段を設けるとともに、
この給気手段による空気供給に併行して、前記対象室から排出される高温排気を再生用空気として前記除湿装置の脱着域に通過させる排気手段を設けてある熱回収式の低湿空気供給システムであって、
前記対象室から前記脱着域に送る高温排気と前記吸着域から前記対象室に送る除湿空気とを熱交換させる熱交換手段を設けるとともに、この熱交換手段での熱交換量を調整する熱交換量調整手段を設け、
前記吸着域における入口空気の測定露点温度又は前記吸着域における出口空気の測定露点温度に基づき前記熱交換量調整手段により前記熱交換手段での熱交換量を調整することで、前記吸着域における出口空気の露点温度を設定給気露点温度に調整する除湿制御手段を設けてある熱回収式の低湿空気供給システム。
【請求項２】
前記吸着域に通過させる外気に前記脱着域を通過した高温排気の一部を混合する混合手段を設けるとともに、この混合手段で混合する外気と高温排気との混合比を調整する混合比調整手段を設け、
前記吸着域における入口空気の測定露点温度に基づき前記混合比調整手段により前記混合手段での外気と高温排気との混合比を調整することで、前記吸着域における入口空気の最低露点温度を設定下限露点温度に制限する下限露点補償制御手段を設けてある請求項１に記載した熱回収式の低湿空気供給システム。
【請求項３】
前記吸着域に通過させる外気を冷却して除湿する冷却除湿手段を設けるとともに、この冷却除湿手段での外気の冷却量を調整する冷却量調整手段を設け、
前記吸着域における入口空気の測定露点温度に基づき前記冷却量調整手段により前記冷却除湿手段での外気の冷却量を調整することで、前記吸着域における入口空気の最高露点温度を設定上限露点温度に制限する上限露点補償制御手段を設けてある請求項１又は２に記載した熱回収式の低湿空気供給システム。
【請求項４】
前記吸着域に通過させる外気を冷却して除湿する冷却除湿手段を設けるとともに、この冷却除湿手段での外気の冷却量を調整する冷却量調整手段を設け、
前記吸着域における入口空気の測定乾球温度に基づき前記冷却量調整手段により前記冷却除湿手段での外気の冷却量を調整することで、前記吸着域における入口空気の最高乾球温度を設定上限乾球温度に制限する上限露点補償制御手段を設けてある請求項１又は２に記載した熱回収式の低湿空気供給システム。
【請求項５】
前記上限露点補償制御手段は、外気が低温低湿状態にあるとき、前記冷却除湿手段を前記吸着域に通過させる外気に対して冷却除湿機能させるのに代え、前記冷却除湿手段に供給する熱源熱媒の保有熱により前記吸着域に通過させる外気を予熱する熱回収用の予熱手段として機能させる構成にしてある請求項３又は４に記載した熱回収式の低湿空気供給システム。
【請求項６】
前記熱交換手段により前記除湿空気と熱交換させた前記高温排気を加熱する補助加熱手段を設けるとともに、この補助加熱手段での高温排気の加熱量を調整する加熱量調整手段を設け、
前記除湿制御手段は、前記熱交換量調整手段により前記熱交換手段での熱交換量を下限量まで減少させた状態において前記吸着域における出口空気の露点温度が設定給気露点温度まで低下しないとき、前記吸着域における入口空気の測定露点温度又は前記吸着域における出口空気の測定露点温度に基づき前記加熱量調整手段により前記補助加熱手段での高温排気の加熱量を調整することで、前記吸着域における出口空気の露点温度を設定給気露点温度に調整する構成にしてある請求項１〜５のいずれか１項に記載した熱回収式の低湿空気供給システム。
【発明の詳細な説明】
【技術分野】
【０００１】
本発明は、低湿状態を要する乾燥室や乾燥炉などを対象室として、その対象室に室内調整用の低湿空気を供給する熱回収式の低湿空気供給システムに関する。
【０００２】
さらに詳しくは（図１参照）、吸着剤を保持させた通気性の吸着ロータ３を回転させて、その吸着ロータ３の回転方向におけるロータ各部を除湿対象空気の通風域である吸着域４と再生用空気の通風域である脱着域５とに交互に位置させる吸着ロータ式の除湿装置２を設け、外気ＯＡを除湿対象空気として除湿装置２の吸着域４に通過させて除湿し、この除湿空気ＳＡ（除湿した外気ＯＡ）を室内調整用の低湿空気として対象室１に供給する給気手段を設けるとともに、この給気手段による空気供給に併行して、対象室１から排出される高温排気ＥＡを再生用空気として除湿装置２の脱着域５に通過させる排気手段を設けてある熱回収式の低湿空気供給システムに関する。
【背景技術】
【０００３】
このような熱回収式の低湿空気供給システムでは（同図１参照）、対象室１から排出される高温排気ＥＡを再生用空気として吸着ロータ式の除湿装置２における脱着域５に通過させることで、高温排気ＥＡの保有熱をロータ吸着剤の再生用熱源に利用して、吸着ロータ各部の吸着剤が吸着域４で除湿対象の外気ＯＡから吸着した水分を脱着域５で高温排気ＥＡに脱着させ、これにより吸着剤を再生する。
【０００４】
また、外気ＯＡを吸着ロータ式の除湿装置２における吸着域４でロータ吸着剤による水分吸着により除湿するのに伴い、脱着域５と吸着域４とにわたって回転する吸着ロータ３の熱運搬機能により吸着域４における除湿対象外気ＯＡと脱着域５における高温排気ＥＡとを熱交換させ、これにより、対象室１に供給する除湿空気ＳＡを高温排気ＥＡの保有熱により加熱して高温排気ＥＡの保有熱Ｑ１を除湿空気ＳＡの側に回収する。
【０００５】
そして、外気ＯＡの状態変化に対して対象室１に供給する除湿空気ＳＡを所要の低湿状態に保持する必要がある場合、外気ＯＡの状態変化に応じて吸着ロータ式除湿装置２の除湿能力を調整するが、この除湿能力の調整法としては、従来、再生用空気として脱着域５に送る高温排気ＥＡの温度調整や風量調整、あるいは、吸着ロータ３の回転速度調整が一般に知られている（特許文献１参照）。
【先行技術文献】
【特許文献】
【０００６】
【特許文献１】特開平６−６３３４４号公報
【発明の概要】
【発明が解決しようとする課題】
【０００７】
しかし、このような熱回収式の低湿空気供給システムでは、冬期や中間期など外気ＯＡが低湿状態になることに対し、対象室１に供給する除湿空気ＳＡの湿度（露点温度）を所要値に保持するように、上記の如き調整法により吸着ロータ式除湿装置２の除湿能力を低下させたとき（即ち、脱着域５に送る高温排気ＥＡの温度や風量を低減したり、吸着ロータ３の回転速度を低減したとき）、それに伴い、吸着ロータ３の熱運搬機能による脱着域５側の高温排気ＥＡと吸着域４側の除湿対象外気ＳＡとの間での熱交換量Ｑ１（即ち、対象室１に供給する除湿空気ＳＡへの回収熱量）も減少し、このことで高温排気ＥＡからの熱回収によるシステムの省エネルギ効果が低減してしまう問題があった。
【０００８】
この実情に鑑み、本発明の主たる課題は、外気の状態変化にかかわらず、対象室１に供給する除湿空気ＳＡを所要の低湿状態に安定的に保持することができ、また、対象室１から排出される高温排気ＥＡの保有熱を高い回収効率を保って安定的に回収することができる熱回収式の低湿空気供給システムを提供する点にある。
【課題を解決するための手段】
【０００９】
本発明の第１特徴構成は熱回収式の低湿空気供給システムに係り、その特徴は、
吸着剤を保持させた通気性の吸着ロータを回転させて、その吸着ロータの回転方向におけるロータ各部を除湿対象空気の通風域である吸着域と再生用空気の通風域である脱着域とに交互に位置させる吸着ロータ式の除湿装置を設け、
外気を除湿対象空気として前記除湿装置の吸着域に通過させて除湿し、この除湿空気を室内調整用の低湿空気として対象室に供給する給気手段を設けるとともに、
この給気手段による空気供給に併行して、前記対象室から排出される高温排気を再生用空気として前記除湿装置の脱着域に通過させる排気手段を設けてある熱回収式の低湿空気供給システムであって、
前記対象室から前記脱着域に送る高温排気と前記吸着域から前記対象室に送る除湿空気とを熱交換させる熱交換手段を設けるとともに、この熱交換手段での熱交換量を調整する熱交換量調整手段を設け、
前記吸着域における入口空気の測定露点温度又は前記吸着域における出口空気の測定露点温度に基づき前記熱交換量調整手段により前記熱交換手段での熱交換量を調整することで、前記吸着域における出口空気の露点温度を設定給気露点温度に調整する除湿制御手段を設けてある点にある。
【００１０】
つまり、この構成では（図１参照）、夏期など外気が高湿状態になったとき、除湿制御手段１５は熱交換量調整手段１４ａ，１４ｂにより、対象室１から脱着域５に送る高温排気ＥＡと吸着域４から対象室１に送る除湿空気ＳＡとの熱交換手段１２での熱交換量Ｑ２（即ち、熱交換手段１２での高温排気ＥＡによる除湿空気ＳＡの加熱量）を減少側に調整し、この熱交換量Ｑ２の減少側への調整により、吸着ロータ式除湿装置２の脱着域５に再生用空気として送る高温排気ＥＡの温度を高く保って除湿装置２の除湿能力を高くすることで、外気ＯＡが高湿状態であることに対し、その高湿外気ＯＡからの除湿量を大きくして、吸着域４における出口空気ＳＡの露点温度（即ち、対象室１に送る除湿空気ＳＡの露点温度）を設定給気露点温度に調整する。
【００１１】
そして、このとき脱着域５に送られる高温排気ＥＡの温度が高く保たれることで、吸着ロータ３の熱運搬機能により脱着域５における高温排気ＥＡから吸着域４における除湿対象外気ＯＡに回収される熱量Ｑ１（即ち、除湿空気ＳＡへの回収熱量）は大きなものになり、このことで高温排気ＥＡから高い回収効率で熱回収される。
【００１２】
一方、冬期や中間期など外気ＯＡが低湿状態になったとき、除湿制御手段１５は熱交換量調整手段１４ａ，１４ｂにより、熱交換手段１２での上記熱交換量Ｑ２を増大側に調整し、この熱交換量Ｑ２の増大側への調整により、吸着ロータ式除湿装置２の脱着域５に再生用空気として送る高温排気ＥＡの温度を低下させて除湿装置２の除湿能力を低下させることで、外気ＯＡが低湿状態であることに対し、その低湿外気ＯＡからの除湿量を小さくして、吸着域４における出口空気ＳＡの露点温度（対象室１に送る除湿空気ＳＡの露点温度）を設定給気露点温度に調整する。
【００１３】
そして、このときは脱着域５に送られる高温排気ＥＡの温度が低くなって、吸着ロータ３の熱運搬機能により脱着域５における高温排気ＥＡから吸着域４における除湿対象外気ＯＡに回収される熱量Ｑ１は減少するが、これに対して、上記の如く熱交換手段１２での熱交換量Ｑ２（換言すれば、熱交換手段１２において高温排気ＥＡから除湿空気ＳＡに回収する熱量）が増大側に調整されることで、システム全体として見れば、外気ＯＡが低湿な場合にも高い回収効率を保って高温排気ＥＡから熱回収することができる。
【００１４】
従って、上記構成によれば、外気ＯＡの状態変化にかかわらず、対象室１に供給する除湿空気ＳＡを所要の低湿状態（設定給気露点温度）に安定的に保持することができ、かつ、対象室１から排出される高温排気ＥＡの保有熱を高い回収効率を保って安定的に回収し得る優れた熱回収式の低湿空気供給システムにすることができる。
【００１５】
なお、上記構成の実施において除湿制御手段１５は、吸着域４における入口空気ＯＡの測定露点温度に基づき熱交換手段１２での熱交換量Ｑ２を調整することで、吸着域４における出口空気ＳＡの露点温度をフィードフォワード的に設定給気露点温度に調整する方式、あるいは、吸着域４における出口空気ＳＡ（即ち、対象室１に供給する除湿空気）の測定露点温度に基づき熱交換手段１２での熱交換量Ｑ２を調整することで、吸着域４における出口空気ＳＡの露点温度をフィードバック的に設定給気露点温度に調整する方式、いずれの調整方式のものにしてもよい。
【００１６】
また、上記構成の実施において熱交換手段１２としては、対象室１から脱着域５に送る高温排気ＥＡと熱媒液Ｗとを熱交換させる高温側熱交換器１２ａと、吸着域４から対象室１に送る除湿空気ＳＡと熱媒液Ｗとを熱交換させる低温側熱交換器１２ｂと、それら熱交換器１２ａ，１２ｂどうしの間で熱媒液Ｗを循環させる循環手段１２ｃ，１２ｄとを備えるランアラウンド型の熱交換装置を用いるのが好適であるが、場合によっては、その他の方式の熱交換装置を用いてもよい。
【００１７】
本発明の第２特徴構成は、第１特徴構成の実施に好適な実施形態を特定するものであり、その特徴は、
前記吸着域に通過させる外気に前記脱着域を通過した高温排気の一部を混合する混合手段を設けるとともに、この混合手段で混合する外気と高温排気との混合比を調整する混合比調整手段を設け、
前記吸着域における入口空気の測定露点温度に基づき前記混合比調整手段により前記混合手段での外気と高温排気との混合比を調整することで、前記吸着域における入口空気の最低露点温度を設定下限露点温度に制限する下限露点補償制御手段を設けてある点にある。
【００１８】
つまり（図１参照）、冬期などで外気ＯＡの湿度が低いとき、熱交換手段１２での熱交換量Ｑ２を最も増大側に調整（換言すれば、脱着域５に送る高温排気ＥＡの温度を最も低下側に調整）して、吸着ロータ式除湿装置２の除湿能力を最も低下側に調整しても、吸着域４における出口空気ＳＡの露点温度が設定給気露点温度より低くなる下限側の調整不能状態が生じる場合がある。
【００１９】
これに対し、上記構成において、このような下限側の調整不能状態に至るときの吸着域４における入口空気の露点温度を設定下限露点温度として設定しておけば、外気ＯＡのみを吸着域４に通過させて除湿している状態において入口空気としての外気ＯＡが設定下限露点温度未満まで湿度低下したとき、下限露点補償制御手段１９は、混合比調整手段１８ａ〜１８ｃにより混合手段１７での外気ＯＡと高温排気ＥＡとの混合比を調整して、吸着域４における入口空気（このときは外気ＯＡと高温排気ＥＡとの混合空気）の露点温度を混合手段１７での高温排気ＥＡの混合により設定下限露点温度に調整し、これにより、吸着域４における入口空気の最低露点温度を設定下限露点温度に制限する。
【００２０】
そして、このように吸着域４における入口空気の最低露点温度が設定下限露点温度（即ち、下限側の調整不能状態に至るときの入口空気の露点温度）に制限されることで、外気ＯＡの設定下限露点温度未満への湿度低下にかかわらず、前記の除湿制御手段１５により熱交換手段１２での熱交換量Ｑ２が最も増大側に調整されて吸着ロータ式除湿装置２の除湿能力が最も低下側に調整された状態で、吸着域４における出口空気ＳＡの露点温度が目標である設定給気露点温度に調整されるようになり、これにより、外気ＯＡが設定下限露点温度未満に湿度低下することに対しても、通常運転時と同様、対象室１に供給する除湿空気ＳＡの露点温度を設定給気露点温度に保つ状態が補償される。
【００２１】
また、この状態から外気ＯＡの湿度が上昇して外気ＯＡの露点温度が設定下限露点温度以上になると、下限露点補償制御手段１９は、混合比調整手段１８ａ〜１８ｃによる外気ＯＡと高温排気ＥＡとの混合比調整として、高温排気ＥＡの混合量を減少させて混合手段１７での外気ＯＡに対する高温排気ＥＡの混合を停止し、これにより、外気ＯＡのみを吸着域４に通過させる形態において、除湿制御手段１５が熱交換手段１２での熱交換量Ｑ２を調整して吸着ロータ式除湿装置２の除湿能力を調整することで吸着域４における出口空気（対象室１に供給する除湿空気ＳＡ）の露点温度を設定給気露点温度に調整する通常運転状態に復帰する。
【００２２】
従って、上記構成によれば、外気ＯＡの低湿側への大きな湿度変化に対しても、室内調整用の低湿空気として対象室１に供給する除湿空気ＳＡの露点温度を設定給気露点温度に安定的に維持することができる対応性に一層優れた熱回収式の低湿空気供給システムにすることができる。
【００２３】
なお、上記構成では、下限露点補償制御手段１９が混合手段１７において外気ＯＡに高温排気ＥＡを混合する運転状態（即ち、下限露点補償運転状態）にあるときにも、除湿制御手段１５により熱交換手段１２での熱交換量Ｑ２が最も増大側に調整されて、熱交換手段１２での高温排気ＥＡからの回収熱量Ｑ２が大きく保たれることで、システム全体としての高温排気ＥＡからの熱回収効率は高く維持される。
【００２４】
そしてまた、外気ＯＡに混合する高温排気ＥＡの保有熱も対象室１に供給する除湿空気ＳＡに回収される運転形態になり、このことからも、高温排気ＥＡからの熱回収効率が高くなる。
【００２５】
本発明の第３特徴構成は、第１又は第２特徴構成の実施に好適な実施形態を特定するものであり、その特徴は、
前記吸着域に通過させる外気を冷却して除湿する冷却除湿手段を設けるとともに、この冷却除湿手段での外気の冷却量を調整する冷却量調整手段を設け、
前記吸着域における入口空気の測定露点温度に基づき前記冷却量調整手段により前記冷却除湿手段での外気の冷却量を調整することで、前記吸着域における入口空気の最高露点温度を設定上限露点温度に制限する上限露点補償制御手段を設けてある点にある。
【００２６】
つまり（図１参照）、前述した下限側の調整不能状態とは逆に、夏期などで外気ＯＡの湿度が高いとき、熱交換手段１２での熱交換量Ｑ２を最も減少側に調整（換言すれば、脱着域５に送る高温排気ＥＡの温度を最も上昇側に調整）して、吸着ロータ式除湿装置２の除湿能力を最も増大側に調整しても、吸着域４における出口空気ＳＡの露点温度が設定給気露点温度より高くなる上限側の調整不能状態が生じる場合がある。
【００２７】
これに対し、上記構成において、このような上限側の調整不能状態に至るときの吸着域４における入口空気ＯＡの露点温度を設定上限露点温度として設定しておけば、外気ＯＡを吸着域４に通過させて除湿している状態において入口空気としての外気ＯＡが設定上限露点温度を超えて湿度上昇したとき、上限露点補償制御手段２３は、冷却量調整手段２２により冷却除湿手段２０での外気ＯＡの冷却量を調整して、吸着域４における入口空気ＯＡの露点温度を冷却除湿手段２０での外気ＯＡの冷却除湿により設定上限露点温度に調整し、これにより、吸着域４における入口空気ＯＡの最高露点温度を設定上限露点温度に制限する。
【００２８】
そして、このように吸着域４における入口空気ＯＡの最高露点温度が設定上限露点温度（即ち、上限側の調整不能状態に至るときの入口空気の露点温度）に制限されることで、外気ＯＡの設定上限露点温度を超える湿度上昇にかかわらず、前記の除湿制御手段１５により熱交換手段１２での熱交換量Ｑ２が最も減少側に調整されて吸着ロータ式除湿装置２の除湿能力が最も増大側に調整された状態で、吸着域４における出口空気ＳＡの露点温度が目標である設定給気露点温度に調整されるようになり、これにより、外気ＯＡが設定上限露点温度を超えて湿度上昇することに対しても、通常運転時と同様、対象室１に供給する除湿空気ＳＡの露点温度を設定給気露点温度に保つ状態が補償される。
【００２９】
また、この状態から外気ＯＡの湿度が低下して外気ＯＡの露点温度が設定上限露点温度以下になると、上限露点補償制御手段２３は、冷却量調整手段２２による冷却量調整として冷却除湿手段２０での冷却量を減少させて冷却除湿手段２０での外気ＯＡの冷却除湿を停止し、これにより、外気ＯＡを冷却除湿手段２０で冷却除湿することなく吸着域４に通過させる形態において、除湿制御手段１５が熱交換手段１２での熱交換量Ｑ２を調整して吸着ロータ式除湿装置２の除湿能力を調整することで吸着域４における出口空気（対象室１に供給する除湿空気ＳＡ）の露点温度を設定給気露点温度に調整する通常運転状態に復帰する。
【００３０】
従って、上記構成によれば、外気ＯＡの高湿側への大きな湿度変化に対しても、室内調整用の低湿空気として対象室１に供給する除湿空気ＳＡの露点温度を設定給気露点温度に安定的に維持することができる対応性に一層優れた熱回収式の低湿空気供給システムにすることができる。
【００３１】
なお、上記構成では、上限露点補償制御手段２３が冷却除湿手段２０において外気ＯＡを冷却除湿する運転状態（即ち、上限露点補償運転状態）にあるときにも、除湿制御手段１５により熱交換手段１２での熱交換量Ｑ２が最も減少側に調整（換言すれば、脱着域５に送る高温排気ＥＡの温度が最も上昇側に調整）されて、吸着ロータ３の熱運搬機能による高温排気ＥＡからの回収熱量Ｑ１が大きく保たれることで、システム全体としての高温排気ＥＡからの熱回収効率は高く維持される。
【００３２】
本発明の第４特徴構成は、第１又は第２特徴構成の実施に好適な実施形態を特定するものであり、その特徴は、
前記吸着域に通過させる外気を冷却して除湿する冷却除湿手段を設けるとともに、この冷却除湿手段での外気の冷却量を調整する冷却量調整手段を設け、
前記吸着域における入口空気の測定乾球温度に基づき前記冷却量調整手段により前記冷却除湿手段での外気の冷却量を調整することで、前記吸着域における入口空気の最高乾球温度を設定上限乾球温度に制限する上限露点補償制御手段を設けてある点にある。
【００３３】
つまり（図１参照）、夏期などで外気ＯＡの湿度が高いとき前述の如き上限側の調整不能状態が生じる場合があるのに対し、この構成では、高湿の外気ＯＡが前述の設定上限露点温度まで冷却除湿される乾球温度を設定上限乾球温度として設定しておくことで、外気ＯＡを吸着域４に通過させて除湿している状態において入口空気としての外気ＯＡが設定上限乾球温度を超えて温度上昇したとき（即ち、外気ＯＡが設定上限露点温度を超えた高湿状態になり得るとき）、上限露点補償制御手段２３は、冷却量調整手段２２により冷却除湿手段２０での外気ＯＡの冷却量を調整して、吸着域４における入口空気ＯＡの乾球温度を冷却除湿手段２０での冷却により設定上限乾球温度に調整し、これにより、吸着域４における入口空気ＯＡの最高乾球温度を設定上限乾球温度に制限する。
【００３４】
即ち、外気ＯＡが設定上限乾球温度を超えて温度上昇して設定上限露点温度を超えた高湿状態になっていたとしても、上記の如く吸着域４における入口空気ＯＡの最高乾球温度を設定上限乾球温度に制限することで、前述の第３特徴構成と同様に、吸着域４における入口空気ＯＡの最高露点温度を設定上限露点温度（上限側の調整不能状態に至るときの入口空気の露点温度）に制限することができる。
【００３５】
従って、上記構成によれば、前述の第３特徴構成と同様の機能を得ることができ、外気の高温側（高湿側）への大きな変化に対しても、室内調整用の低湿空気として対象室１に供給する除湿空気ＳＡの露点温度を設定給気露点温度に安定的に維持することができる対応性に一層優れた熱回収式の低湿空気供給システムにすることができる。
【００３６】
また、上記構成によれば、吸着域４における入口空気ＯＡの露点温度を測定する前述第３特徴構成に比べ、吸着域４における入口空気ＯＡの乾球温度を測定するだけですみ、その分、システムを簡素化することもできる。
【００３７】
本発明の第５特徴構成は、第３又は第４特徴構成の実施に好適な実施形態を特定するものであり、その特徴は、
前記上限露点補償制御手段は、外気が低温低湿状態にあるとき、前記冷却除湿手段を前記吸着域に通過させる外気に対して冷却除湿機能させるのに代え、前記冷却除湿手段に供給する熱源熱媒の保有熱により前記吸着域に通過させる外気を予熱する熱回収用の予熱手段として機能させる構成にしてある点にある。
【００３８】
つまり、この構成（図１参照）では、外気ＯＡが低温低湿状態にあって前述した上限露点補償運転（即ち、吸着域４に通過させる外気ＯＡを冷却除湿手段２０により冷却除湿する運転）が不要なとき、冷却除湿手段２０を上記の如き熱回収用の予熱手段として機能させることで、高温排気ＥＡからの回収熱量Ｑ１，Ｑ２に加えて冷却除湿手段２０に供給する熱源熱媒Ｃの保有熱も対象室１に供給する除湿空気ＳＡに回収することができる。
【００３９】
従って、上記構成によれば、熱回収によるシステムの省エネルギ効果を一層高めることができる。
【００４０】
本発明の第６特徴構成は、第１〜第５特徴構成のいずれかの実施に好適な実施形態を特定するものであり、その特徴は、
前記熱交換手段により前記除湿空気と熱交換させた前記高温排気を加熱する補助加熱手段を設けるとともに、この補助加熱手段での高温排気の加熱量を調整する加熱量調整手段を設け、
前記除湿制御手段は、前記熱交換量調整手段により前記熱交換手段での熱交換量を下限量まで減少させた状態において前記吸着域における出口空気の露点温度が設定給気露点温度まで低下しないとき、前記吸着域における入口空気の測定露点温度又は前記吸着域における出口空気の測定露点温度に基づき前記加熱量調整手段により前記補助加熱手段での高温排気の加熱量を調整することで、前記吸着域における出口空気の露点温度を設定給気露点温度に調整する構成にしてある点にある。
【００４１】
つまり、この構成（図１参照）では、除湿制御手段１５が熱交換量調整手段１４ａ，１４ｂにより熱交換手段１２での熱交換量Ｑ２を下限量まで減少側に調整して、脱着域５に送る高温排気ＥＡの温度を最も上昇側に調整しても、吸着域４における出口空気ＳＡの露点温度が設定給気露点温度まで低下しないとき（即ち、夏期などで外気ＯＡの湿度が高くて前述の如き上限側の調整不能状態が生じたとき）、上記の如く熱交換手段１２で除湿空気ＳＡと熱交換させた高温排気ＥＡを補助加熱手段２４により加熱することで吸着域４における出口空気ＳＡの露点温度（即ち、対象室１に供給する除湿空気ＳＡの露点温度）を設定給気露点温度に調整する。
【００４２】
即ち、外気ＯＡが高湿であることに対し、補助加熱手段２４による加熱で再度、温度上昇させた高温排気ＥＡを脱着域５に通過させることで吸着ロータ式除湿装置２の除湿能力を高め、この状態で加熱量調整手段２５により補助加熱手段２４での高温排気ＥＡの加熱量を調整することにより、吸着域４における出口空気ＳＡの露点温度（対象室１に供給する除湿空気ＳＡの露点温度）を通常運転時と同様の設定給気露点温度に調整する。
【００４３】
従って、上記構成によれば、前述の第３又は第４特徴構成と同様、外気ＯＡの高湿側への大きな湿度変化に対しても、室内調整用の低湿空気として対象室１に供給する除湿空気ＳＡの露点温度を設定給気露点温度に安定的に維持することができる対応性に一層優れた熱回収式の低湿空気供給システムにすることができる。
【００４４】
なお、上記構成では、補助加熱手段２４により高温排気ＥＡを加熱する運転状態（即ち、補助加熱運転状態）にあるときにも、除湿制御手段１５により熱交換手段１２での熱交換量Ｑ２が最も減少側（換言すれば、脱着域５に送る高温排気ＥＡの温度を極力高く保つ側）に調整されて、吸着ロータ３の熱運搬機能による高温排気ＥＡからの回収熱量Ｑ１が大きく保たれることで、高温排気ＥＡからの熱回収効率は高く維持される。
【００４５】
また、この熱回収では、熱交換手段１２で熱交換した後の高温排気ＥＡの保有熱に加えて、補助加熱手段２４での加熱により高温排気ＥＡに付与された熱量も吸着ロータ３の熱運搬機能により除湿空気ＳＡに回収することができる。
【００４６】
上限露点補償制御手段２３を設ける前述の第３又は第４特徴構成と上記構成とを併行実施する場合には、第３又は第４特徴構成による前述の上限露点補償運転を行なっても吸着域４における出口空気ＳＡの露点温度が設定給気露点温度まで低下しないときに、上記の如き補助加熱運転を実施する運転形態（即ち、上限露点補償優先の運転形態）を採るのが望ましい。
【００４７】
また場合によっては、逆に上記の如き補助加熱運転を行なっても吸着域４における出口空気ＳＡの露点温度が設定給気露点温度まで低下しないときに、第３又は第４特徴構成による前述の上限露点補償運転を実施する運転形態（即ち、補助加熱優先の運転形態）を採用したり、第３又は第４特徴構成による上限露点補償運転と上記構成による補助加熱運転とを同時開始的に実施する運転形態を採用してもよい。
【図面の簡単な説明】
【００４８】
【図１】実施形態を示す熱回収式の低湿空気供給システムの構成図
【発明を実施するための形態】
【００４９】
図１は、リチウムイオン電池の製造おいて電池電極を炉内で乾燥処理する乾燥炉を対象室１とし、この対象室１に吸着ロータ式の除湿装置２で生成した除湿空気ＳＡを室内調整用（即ち、ここでは乾燥処理用）の低湿空気として供給する熱回収式の低湿空気供給システムを示す。
【００５０】
この低湿供給システムでは、対象室１に供給する除湿空気ＳＡを対象室１から排出される高温排気ＥＡの保有熱Ｑにより加熱し、これにより、高温排気ＥＡの保有熱Ｑ（具体的には後述する回収熱Ｑ１，Ｑ２）を除湿空気ＳＡの側に回収して、対象室１の室内調整に利用する。
【００５１】
吸着ロータ式の除湿装置２は、吸着剤Ｘを保持させた通気性の吸着ロータ３を備えるとともに、吸着ロータ３の回転域にロータ回転方向に並べて区画形成した吸着域４及び脱着域５（また、必要に応じパージ域）を備え、吸着ロータ３を図中矢印で示す向きに回転させることで、ロータ回転方向における吸着ロータ３の各部を除湿対象空気の通風域である吸着域４と再生用空気の通風域である脱着域５とに交互に繰り返し位置させて、除湿対象空気を連続に除湿処理する。
【００５２】
除湿対象空気としては、給気ファン６により導入風路７を通じて外気ＯＡを吸着域４に通過させ、この吸着域４でのロータ吸着剤Ｘによる水分吸着により通過外気ＯＡを除湿し、この除湿空気ＳＡ（除湿した外気）を室内調整用の低湿空気として給気風路８を通じ対象室１に供給する。
【００５３】
再生用空気としては、除湿空気ＳＡの供給に伴い対象室１から排出される高温排気ＥＡ（例えば１００℃程度の空気）を排気ファン９により排気風路１０を通じて脱着域５に通過させ、これにより、高温排気ＥＡの保有熱Ｑを吸着剤Ｘの再生用熱源に利用して、吸着ロータ各部の吸着剤Ｘが吸着域４で除湿対象外気ＯＡから吸着した水分を脱着域５で高温排気ＥＡに脱着させロータ吸着剤Ｘを連続に再生処理する。
【００５４】
また、この吸着ロータ式除湿装置２では、吸着域４で外気ＯＡを除湿するのに伴い、脱着域５と吸着域４とにわたって回転する吸着ロータ３の熱運搬機能（即ち、熱容量を有する吸着ロータ３が回転することで生じる機能）により、吸着域４における除湿対象外気ＯＡと脱着域５における高温排気ＥＡとを熱交換させ、これにより、対象室１に供給する除湿空気ＳＡを高温排気ＥＡの保有熱Ｑ１により加熱して、高温排気ＥＡの保有熱Ｑ１を除湿空気ＳＡの側に回収する。
【００５５】
つまり、このように対象室１から排出される高温排気ＥＡを吸着剤再生用の空気として利用するとともに、その高温排気ＥＡの保有熱Ｑ１を除湿空気ＳＡの側に回収することで、システムの消費エネルギを低減して運転コストを低減する。
【００５６】
ここで、給気ファン６及び給気風路８は、除湿空気ＳＡを室内調整用の低湿空気として除湿装置２の吸着域４から対象室１に供給する給気手段を構成し、排気ファン９及び排気風路１０は、対象室１から排出される高温排気ＥＡを再生用空気として除湿装置２の脱着域５に送る排気手段を構成する。また、脱着域５を通過して脱着水分を含む状態になった高湿の高温排気ＥＡは基本的には導出風路１１を通じて外部に排出する。
【００５７】
１２は、吸着ロータ３とは別に給気風路８の除湿空気ＳＡと排気風路１０の高温排気ＥＡとを熱交換させる熱交換手段としてのランアラウンド型の熱交換装置であり、この熱交換装置１２は、排気風路１０の高温排気ＥＡを熱媒液Ｗと熱交換させる高温側の熱交換器１２ａと、給気風路８の除湿空気ＳＡを熱媒液Ｗと熱交換させる低温側の熱交換器１２ｂと、これら熱交換器１２ａ，１２ｂどうしの間で循環路１２ｃを通じて熱媒液Ｗを循環させる循環手段としての循環ポンプ１２ｄとを備えている。
【００５８】
即ち、この熱交換装置１２では、高温側熱交換器１２ａにおいて循環熱媒液Ｗを高温排気ＥＡにより加熱し、この加熱した循環熱媒液Ｗにより低温側熱交換器１２ｂにおいて除湿空気ＳＡを加熱する形態で、熱媒液Ｗを介して給気風路８の除湿空気ＳＡと排気風路１０の高温排気ＥＡとを熱交換させる。
【００５９】
そして、この熱交換装置１２において高温排気ＥＡと除湿空気ＳＡとを熱交換させることにより、吸着ロータ式除湿装置２において前述の如く吸着ロータ３の熱運搬機能により高温排気ＥＡの保有熱Ｑ１を除湿空気ＳＡの側に回収することに加え、この熱交換装置１２でも、対象室１に供給する除湿空気ＳＡを高温排気ＥＡの保有熱Ｑ２により加熱して、高温排気ＥＡの保有熱Ｑ２を除湿空気ＳＡの側に回収する。
【００６０】
この低湿空気供給システムでは基本的に除湿能力制御、下限露点補償制御、上限露点補償制御、熱回収予熱制御、補助加熱制御を実施するが、これらの制御について次に説明する。
【００６１】
〈除湿能力制御〉
１３は、排気風路１０を通じて脱着域５に送る高温排気ＥＡの一部をランアラウンド型熱交換装置１２の高温側熱交換器１２ａに対して迂回させるバイパス風路であり、このバイパス風路１３、及び、排気風路１０におけるバイパス風路１３との並列風路部分には夫々、熱交換量調整手段としての風量調整ダンパ１４ａ，１４ｂを装備してある。
【００６２】
即ち、これら風量調整ダンパ１４ａ，１４ｂにより、高温側熱交換器１２ａに通過させて除湿空気ＳＡと熱交換させる高温排気ＥＡと、バイパス風路１３に通過させて高温側熱交換器１２ａを迂回させる高温排気ＥＡとの風量比を調整する。
【００６３】
そして、この風量比調整により熱交換装置１２での高温排気ＥＡと除湿空気ＳＡとの熱交換における熱交換量（＝Ｑ２）を調整し、この熱交換量の調整により、熱交換装置１２での高温排気ＥＡからの回収熱量Ｑ２の調整を伴う形態で、再生用空気として脱着域５に送る高温排気ＥＡの温度ｔｅ（換言すれば、脱着域５での脱着温度）を調整する。
【００６４】
１５は、吸着ロータ式除湿装置２の除湿能力を調整する除湿制御手段であり、この除湿制御器１５は、吸着域４における入口空気の露点温度ｄｉを測定する露点計１６の測定露点温度ｄｉに基づき、熱交換量調整用の上記風量調整ダンパ１４ａ，１４ｂを調整することで、脱着域５に送る高温排気ＥＡの温度ｔｅ（脱着温度）を上記の如く調整して除湿装置２の除湿能力を調整し、この除湿能力の調整により吸着域４における出口空気の露点温度ｄｏ（即ち、対象室１に供給する除湿空気ＳＡの露点温度）を対象室１で要求される設定給気露点温度ｓｄｏに調整する。
【００６５】
具体的には、外気ＯＡが高湿になって露点計１６による測定露点温度ｄｉが上昇するほど、除湿制御器１５は、熱交換装置１２での熱交換における熱交換量（＝回収熱量Ｑ２）を減少させる側に熱交換量調整用の風量調整ダンパ１４ａ，１４ｂを調整して、脱着域５に送る高温排気ＥＡの温度ｔｅを上昇させ、これにより、測定露点温度ｄｉの上昇に対し除湿装置２の除湿能力を増大させて吸着域４における出口空気ＳＡの露点温度ｄｏを設定給気露点温度ｓｄｏに調整する。
【００６６】
このとき熱交換装置１２での回収熱量Ｑ２は減少するが、脱着域５に送る高温排気ＥＡの温度上昇により、吸着ロータ３の熱運搬機能による吸着ロータ式除湿装置２での高温排気ＥＡからの回収熱量Ｑ１が増大し、これにより、システム全体としての高温排気ＥＡからの回収熱量（Ｑ１＋Ｑ２）は大きく保たれる。
【００６７】
逆に、外気ＯＡが低湿になって露点計１６による測定露点温度ｄｉが低下するほど、除湿制御器１５は、熱交換装置１２での熱交換における熱交換量（＝回収熱量Ｑ２）を増大させる側に熱交換量調整用の風量調整ダンパ１４ａ，１４ｂを調整して、脱着域５に送る高温排気ＥＡの温度ｔｅを低下させ、これにより、測定露点温度ｄｉの低下に対し除湿装置２の除湿能力を低下させて吸着域４における出口空気ＳＡの露点温度ｄｏを設定給気露点温度ｓｄｏに調整する。
【００６８】
このとき脱着域５に送る高温排気ＥＡの温度低下により吸着ロータ３の熱運搬機能による吸着ロータ式除湿装置２での高温排気ＥＡからの回収熱量Ｑ１は減少するが、熱交換装置１２における熱交換量の増大により熱交換装置１２での高温排気ＥＡからの回収熱量Ｑ２が増大し、これにより、やはりシステム全体としての高温排気ＥＡからの回収熱量（Ｑ１＋Ｑ２）は大きく保たれる。
【００６９】
即ち、除湿制御手段１５による上記の除湿能力制御により、外気ＯＡの状態変化にかかわらず、室内調整用の低湿空気として対象室１に供給する除湿空気ＳＡの露点温度ｄｏを設定給気露点温度ｓｄｏに安定的に保持することができ、また、高温排気ＥＡからの熱回収についてもその回収効率を安定して高く保つことができる。
【００７０】
なお、本例では、露点計１６の測定露点温度ｄｉに基づき熱交換量調整用の風量調整ダンパ１４ａ，１４ｂを調整することで、脱着域５に送る高温排気ＥＡの温度ｔｅを調整して吸着域４における出口空気ＳＡの露点温度ｄｏを設定給気露点温度ｓｄｏに調整する上記の除湿能力制御をいわゆるカスケード制御方式で行なうようにしている。
【００７１】
つまり、除湿制御手段１５は、温度計５Ａにより測定される脱着域５の入口における高温排気ＥＡの温度ｔｅに基づき熱交換量調整用の風量調整ダンパ１４ａ，１４ｂを調整することで、脱着域５の入口における高温排気ＥＡの温度ｔｅを設定温度ｓｔｅに調整する端末制御を実行する。
【００７２】
そして、この端末制御に対し、除湿制御手段１５は、露点計１６による測定露点温度ｄｉと設定給気露点温度ｓｄｏとの偏差に応じ端末制御における上記設定温度ｓｔｅを変更する設定変更制御を実行し、この設定変更制御により脱着域５に送る高温排気ＥＡの温度ｔｅを調整して、吸着域４における出口空気ＳＡの露点温度ｄｏを設定給気露点温度ｓｄｏに調整する制御方式を採用している。
【００７３】
〈下限露点補償制御〉
１７は、脱着域５を通過した湿度の高い高温排気ＥＡの一部を導出風路１１から分流して導入風路７の外気ＯＡに混合する混合手段としての混合用風路であり、この混合用風路１７と、導出風路１１における混合用風路１７の分岐部よりも下流側の部分と、導入風路７における混合用風路１７の接続部（合流部）よりも上流側の部分との夫々には、混合比調整手段としての風量調整ダンパ１８ａ〜１８ｃを装備してある。
【００７４】
即ち、これら風量調整ダンパ１８ａ〜１８ｃにより、外気ＯＡのみを吸着域４に通過させる形態で除湿能力制御を実施する通常運転と、混合用風路１７を通じ高湿な高温排気ＥＡの一部を導入風路７の外気ＯＡに混合する形態で除湿能力制御を実施する下限露点補償運転との切り換えを行なう。
【００７５】
また、この下限露点補償運転では、混合比調整用の上記風量調整ダンパ１８ａ〜１８ｃにより上記高温排気混合での外気ＯＡと高温排気ＥＡとの混合比を調整する。
【００７６】
１９は、混合比調整用の風量調整ダンパ１８ａ〜１８ｃを自動調整する下限露点補償制御手段としての下限露点補償制御器であり、この下限露点補償制御器１９は、露点計１６による測定露点温度ｄｉ（吸着域４における入口空気の露点温度）に基づき混合比調整用の風量調整ダンパ１８ａ〜１８ｃを調整して外気ＯＡと高温排気ＥＡとの混合比を調整し、この混合比調整により吸着域４における入口空気の最低露点温度を設定下限露点温度ｓｄｉ（ｍｉｎ）に制限する。
【００７７】
具体的には、外気ＯＡのみを吸着域４に通過させる通常運転において外気ＯＡが低湿になり、露点計１６による測定露点温度ｄｉが設定下限露点温度ｓｄｉ（ｍｉｎ）を下回る状態になると、下限露点補償制御器１９は、混合比調整用の風量調整ダンパ１８ａ〜１８ｃを調整して、導入風路７の外気ＯＡに対し混合用風路１７を通じ高湿な高温排気ＥＡを混合する下限露点補償運転に移行する。
【００７８】
そして、この下限露点補償運転において、下限露点補償制御器１９は、露点計１６による測定露点温度ｄｉと設定下限露点温度ｓｄｉ（ｍｉｎ）との偏差に基づき、外気ＯＡが低湿であるほど外気ＯＡに対する高温排気ＥＡの混合比率を大きくする側に混合比調整用の風量調整ダンパ１８ａ〜１８ｃを調整することで、外気ＯＡに対する高湿高温排気ＥＡの混合により吸着域４における入口空気（この場合、外気ＯＡと高温排気ＥＡとの混合空気）の露点温度ｄｉを設定下限露点温度ｓｄｉ（ｍｉｎ）に調整し、これにより、外気ＯＡの低湿化に対して吸着域４における入口空気の最低露点温度を設定下限露点温度ｓｄｉ（ｍｉｎ）に制限する。
【００７９】
また、この下限露点補償運転において外気ＯＡが高湿になり、露点計１６による測定露点温度ｄｉが設定下限露点温度ｓｄｉ（ｍｉｎ）を上回る状態になると、下限露点補償制御器１９は、混合比調整用の風量調整ダンパ１８ａ〜１８ｃを調整して混合用風路１７を通じた高温排気ＥＡの混合を停止し、これにより、導入風路７を通じて外気ＯＡのみを吸着域４に通過させる通常運転に復帰する。
【００８０】
この下限露点補償制御において上記の設定下限露点温度ｓｄｉ（ｍｉｎ）としては、熱交換量調整用の風量調整ダンパ１４ａ，１４ｂによる前述の風量比調整で熱交換装置１２での熱交換量（＝Ｑ２）を最も増大側に調整（即ち、脱着域５に送る高温排気ＥＡの温度ｔｅを最も低下側に調整）して、除湿装置２の除湿能力を最も低下させても、吸着域４における出口空気ＳＡの露点温度ｄｏが設定給気露点温度ｓｄｏより低くなるような状態（下限側の調整不能状態）に至るときの吸着域４における入口空気の露点温度ｄｉを設定してある。
【００８１】
つまり、上記の如き下限側の調整不能状態に至るときの吸着域４における入口空気の露点温度ｄｉを設定下限露点温度ｓｄｉ（ｍｉｎ）として、吸着域４における入口空気の最低露点温度を設定下限露点温度ｓｄｉ（ｍｉｎ）に制限することにより、外気ＯＡが設定下限露点温度ｓｄｉ（ｍｉｎ）未満の低湿状態に湿度低下した場合にも、除湿能力制御により熱交換装置１２での熱交換量（＝回収熱量Ｑ２）が最も増大側に調整されて除湿装置２の除湿能力が最も低下側に調整された状態で、吸着域４における出口空気の露点温度ｄｏが設定給気露点温度ｓｄｏになるようにする。
【００８２】
即ち、このことで、外気ＯＡが設定下限露点温度ｓｄｉ（ｍｉｎ）未満の低湿状態にあるときにも通常運転時と同様、対象室１に供給する除湿空気ＳＡの露点温度ｄｏを設定給気露点温度ｓｄｏに保つことを補償する。
【００８３】
〈上限露点補償制御〉
外気ＯＡの導入風路７において混合用風路１７の接続部よりも上流側の部分には、導入風路７により導く外気ＯＡを冷水などの低温熱源熱媒Ｃにより冷却して除湿する冷却除湿手段としての冷却除湿器２０を介装するとともに、この冷却除湿器２０における出口空気の乾球温度ｔｉ（換言すれば、吸着域４における入口空気の乾球温度）を測定する温度計２１を装備してある。
【００８４】
また、冷却除湿器２０には、それに対する低温熱源熱媒Ｃの供給量を調整して冷却除湿器２０での外気ＯＡの冷却量を調整する冷却量調整手段としての流量調整弁２２を設けてある。
【００８５】
２３は、冷却量調整用の流量調整弁２２を自動調整する上限露点補償制御手段としての上限露点補償制御器であり、この上限露点補償制御器２３は、温度計２１による測定乾球温度ｔｉ（冷却除湿器２０における出口空気の乾球温度）に基づき冷却量調整用の流量調整弁２２を調整することで、吸着域４における入口空気の最高乾球温度を設定上限乾球温度ｓｔｉ（ｍａｘ）に制限する。
【００８６】
具体的には、冷却除湿器２０での外気ＯＡの冷却を停止して外気ＯＡをそのまま吸着域４に通過させる形態で除湿能力制御を実行する通常運転において外気ＯＡが高温高湿になり、温度計２１による測定乾球温度ｔｉが設定上限乾球温度ｓｔｉ（ｍａｘ）を上回る状態になると、上限露点補償制御器２３は、冷却量調整用の流量調整弁２２の調整により、冷却除湿器２０で外気ＯＡを冷却する上限露点補償運転に移行する。
【００８７】
そして、この上限露点補償運転において、上限露点補償制御器２３は、温度計２１による測定乾球温度ｔｉと設定上限乾球温度ｓｔｉ（ｍａｘ）との偏差に基づき、外気ＯＡが高温であるほど冷却除湿器２０での外気ＯＡの冷却量を大きくする側に冷却量調整用の流量調整弁２２を調整することで、冷却除湿器２０での冷却及びそれに伴う除湿により外気ＯＡを低温低湿化して冷却除湿器２０における出口空気の乾球温度ｔｉ（即ち、吸着域４における入口空気の乾球温度）を設定上限乾球温度ｓｔｉ（ｍａｘ）に調整し、これにより、外気ＯＡの高温高湿化に対して吸着域４における入口空気の最高乾球温度を設定上限乾球温度ｓｔｉ（ｍａｘ）に制限し、また、そのことで入口空気の最高露点温度も設定上限乾球温度ｓｔｉ（ｍａｘ）に対応する後述の設定上限露点温度ｓｄｉ（ｍａｘ）に制限する。
【００８８】
また、この上限露点補償運転において外気ＯＡが低温低湿になり、温度計２１による測定乾球温度ｔｉが設定上限乾球温度ｓｔｉ（ｍａｎ）を下回る状態になると、上限露点補償制御器２３は、冷却量調整用の流量調整弁２２を調整して冷却除湿器２０での外気ＯＡの冷却を停止し、これにより、外気ＯＡをそのまま吸着域４に通過させる通常運転に復帰する。
【００８９】
この上限露点補償制御において設定上限乾球温度ｓｔｉ（ｍａｘ）としては、熱交換量調整用の風量調整ダンパ１４ａ，１４ｂによる前述の風量比調整で熱交換装置１２での熱交換量（＝Ｑ２）を最も減少側に調整（即ち、脱着域５に送る高温排気ＥＡの温度ｔｅを最も上昇側に調整）して、除湿装置２の除湿能力を最も増大させても、吸着域４における出口空気ＳＡの露点温度ｄｏが設定給気露点温度ｓｄｏより高くなるような状態（上限側の調整不能状態）に至るときの吸着域４における入口空気の露点温度ｄｉを設定上限露点温度ｓｄｉ（ｍａｘ）とし、そして、高温湿の外気ＯＡがこの設定上限露点温度ｓｄｉ（ｍａｘ）まで冷却除湿される乾球温度を設定してある。
【００９０】
つまり、上記の如き上限側の調整不能状態に至るときの吸着域４における入口空気の露点温度ｄｉを設定上限露点温度ｓｄｉ（ｍａｘ）とし、そして、外気ＯＡが設定上限露点温度ｓｄｉ（ｍａｘ）まで冷却除湿される乾球温度を設定上限乾球温度ｓｔｉ（ｍａｘ）として、吸着域４における入口空気の最高乾球温度を設定上限乾球温度ｓｔｉ（ｍａｘ）に制限することにより、外気ＯＡが設定上限乾球温度ｓｔｉ（ｍａｘ）を超えた高温高湿状態に温湿度上昇した場合にも、除湿能力制御により熱交換装置１２での熱交換量（＝回収熱量Ｑ２）が最も減少側に調整されて除湿装置２の除湿能力が最も増大側に調整された状態で、吸着域４における出口空気の露点温度ｄｏが設定給気露点温度ｓｄｏになるようにする。
【００９１】
即ち、このことで、外気ＯＡが設定上限乾球温度ｓｔｉ（ｍａｘ）を超えた高温高湿状態にあるときにも通常運転時と同様、対象室１に供給する除湿空気ＳＡの露点温度ｄｏを設定給気露点温度ｓｄｏに保つことを補償する。
【００９２】
〈熱回収予熱制御〉
一方、上限露点補償制御器２３は、外気ＯＡが低温低湿になって温度計２１による測定乾球温度ｔｉが上限露点補償制御で用いる低温熱源熱媒Ｃ（ないしは熱回収用の他の熱媒）の温度よりも低い設定閾温度ｓｔｉ（ｄｉｖ）を下回る状態になったとき、熱回収予熱制御として、冷却量調整用の流量調整弁２２を調整することで冷却除湿器２０において低温熱源熱媒Ｃと外気ＯＡとを熱交換させ、この熱交換により低温熱源熱媒Ｃの低温保有熱ｑをもって低温低湿の外気ＯＡを予熱する熱回収予熱運転を実行する。
【００９３】
即ち、この熱回収予熱運転では、冷却除湿器２０を吸着域４に通過させる外気ＯＡに対して冷却除湿機能させるのに代え、冷却除湿手段２０に供給する低温熱源熱媒Ｃの保有熱ｑにより吸着域４に通過させる外気ＯＡを予熱する熱回収用の予熱手段として機能させ、これにより、高温排気ＥＡからの回収熱量Ｑ１，Ｑ２に加えて冷却除湿器２０に供給する低温熱源熱媒Ｃの保有熱ｑも除湿空気ＳＡの側に回収する。
【００９４】
なお、この熱回収予熱運転で予熱器としての冷却除湿器２０に供給する熱源熱媒は、その保有熱ｑにより外気ＯＡを予熱し得る熱媒であれば、前記の上限露点補償運転において冷却除湿器２０に供給する低温熱源熱媒Ｃとは温度や供給元あるいは種類などが異なる熱源熱媒であってもよい。
【００９５】
〈補助加熱制御〉
２４は、ランアラウンド型熱交換装置１２により除湿空気ＳＡと熱交換させた高温排気ＥＡを再加熱する補助加熱手段としての補助加熱器であり、この補助加熱器２４には、それに対する蒸気などの高温熱源熱媒Ｈの供給量を調整して補助加熱器２４での高温排気ＥＡの加熱量を調整する加熱量調整手段としての流量調整弁２５を設けてある。
【００９６】
除湿制御器１５は、前述の除湿能力制御において熱交換量調整用の風量調整ダンパ１４ａ，１４ｂによる風量比調整で熱交換装置１２での熱交換量（＝Ｑ）を下限量まで調整（即ち、脱着域５に送る高温排気ＥＡの温度ｔｅを最も上昇側に調整）して、除湿装置２の除湿能力を最も増大させても、吸着域４における出口空気ＳＡの露点温度ｄｏが設定給気露点温度ｓｄｏまで低下しない上限側の調整不能状態（ここでは上限露点補償制御の実行にかかわらず生じる上限側の調整不能状態）に至ると、露点計１６による測定露点温度ｄｉ（吸着域４における入口空気の露点温度）に基づき加熱量調整用の流量調整弁２５を調整して補助加熱器２４での高温排気ＥＡの加熱量を調整することで、吸着域４における出口空気ＳＡの露点温度ｄｏを設定給気露点温度ｓｄｏに調整する補助加熱制御を実行する。
【００９７】
具体的は、露点計１６による測定露点温度ｄｉが前記の設定上限露点温度ｓｄｉ（ｍａｘ）（厳密にはそれより僅かに高い露点温度ｓｄｉ（ｍａｘ）′）を上回る状態になって上限側の調整不能状態に至ると、除湿制御器１５は、加熱量調整用の流量調整弁２５の調整により、補助加熱器２４で高温排気ＥＡを加熱する補助加熱運転に移行する。
【００９８】
そして、この補助加熱運転において、除湿制御器１５は、露点計１６による測定露点温度ｄｉと前記した設定上限露点温度ｓｄｉ（ｍａｘ）との偏差に基づき、外気ＯＡが高湿であるほど補助加熱器２４での高温排気ＥＡの加熱量を大きくする側（即ち、脱着域５に送る高温排気ＥＡの温度を高めて除湿装置２の除湿能力を増大させる側）に加熱量調整用の流量調整弁２５を調整し、これにより、吸着域４における出口空気ＳＡの露点温度ｄｏ（即ち、対象室１に供給する除湿空気ＳＡの露点温度）を設定給気露点温度ｓｄｏに調整する。
【００９９】
また、この補助加熱運転において、外気ＯＡが低湿化し露点計１６による測定露点温度ｄｉが設定上限露点温度ｓｄｉ（ｍａｘ）（厳密にはそれより僅かに高い露点温度ｓｄｉ（ｍａｘ）′）を下回る状態になると、加熱量調整用の流量調整弁２５を調整して補助加熱器２４での高温排気ＥＡの加熱を停止し、補助加熱運転を終了する。
【０１００】
つまり、この補助加熱制御により前述の上限露点補償制御と相俟って、外気ＯＡの高温高湿化に対する対応性を一層高めることができる。
【０１０１】
なお、本例では、この補助加熱制御についても前述の除湿能力制御と同様のカスケード制御方式で行なうようにしている。
【０１０２】
即ち、除湿制御手段１５は、温度計５Ａにより測定される脱着域５の入口における高温排気ＥＡの温度ｔｅに基づき加熱量調整用の流量調整弁２５を調整して補助加熱器２４での高温排気ＥＡの加熱量を調整することで、脱着域５の入口における高温排気ＥＡの温度ｔｅを設定温度ｓｔｅ′に調整する端末制御を実行する。
【０１０３】
そして、この端末制御に対し、除湿制御手段１５は、露点計１６による測定露点温度ｄｉと設定給気露点温度ｓｄｏとの偏差に応じ端末制御における上記設定温度ｓｔｅ′を変更する設定変更制御を実行し、この設定変更制御により脱着域５に送る高温排気ＥＡの温度ｔｅを調整して、吸着域４における出口空気ＳＡの露点温度ｄｏを設定給気露点温度ｓｄｏに調整する制御方式を採用している。
【０１０４】
〔別実施形態〕
次の本発明の別の実施形態を列記する。
【０１０５】
上述の実施形態において除湿制御器１５（除湿制御手段）は、除湿能力制御を実施するのに、吸着域４における入口空気の測定露点温度ｄｉに基づき熱交換装置１２での除湿空気ＳＡと高温排気ＥＡとの熱交換における熱交換量（＝Ｑ２）を調整することで、吸着域４における出口空気ＳＡの露点温度ｄｏを設定給気露点温度ｓｄｏに調整する構成にしたが、これに代え、あるいは、これと併せて、吸着域４における出口空気ＳＡの測定露点温度ｄｏに基づき熱交換装置１２での除湿空気ＳＡと高温排気ＥＡとの熱交換における熱交換量（＝Ｑ２）を調整することで、吸着域４における出口空気ＳＡの露点温度ｄｏを設定給気露点温度ｓｄｏに調整する構成にしてもよい。
【０１０６】
また、上述の実施形態において上限露点補償制御器２３は、吸着域４における入口空気の測定乾球温度ｔｉに基づき冷却量調整用の流量調整弁２２により冷却除湿器２０での外気ＯＡの冷却量を調整することで、吸着域４における入口空気の最高乾球温度を設定上限乾球温度ｓｔｉ（ｍａｘ）に制限する構成にしたが、これに代え、あるいは、これと併せて、吸着域４における入口空気の測定露点温度ｄｉに基づき冷却量調整用の流量調整弁２２により冷却除湿器２０での外気ＯＡの冷却量を調整することで、吸着域４における入口空気の最高露点温度を設定上限露点温度ｓｄｉ（ｍａｘ）に制限する構成にしてもよい。
【０１０７】
上述の実施形態において除湿制御器１５（除湿制御手段）は、補助加熱制御を実施するのに、吸着域４における入口空気の測定露点温度ｄｉに基づき補助加熱器２４での高温排気ＥＡの加熱量を調整することで、吸着域４における出口空気ＳＡの露点温度ｄｏを設定給気露点温度ｓｄｏに調整する構成にしたが、これに代え、あるいは、これと併せて、吸着域４における出口空気ＳＡの測定露点温度ｄｏに基づき補助加熱器２４での高温排気ＥＡの加熱量を調整することで、吸着域４における出口空気ＳＡの露点温度ｄｏを設定給気露点温度ｓｄｏに調整する構成にしてもよい。
【０１０８】
本発明の実施において、吸着ロータ式除湿装置２の具体的な装置構成は種々の構成変更が可能であり、また、除湿空気ＳＡと高温排気ＥＡとを熱交換させる熱交換手段１２、吸着域４に通過させる外気ＯＡに高温排気ＥＡを混合する混合手段１７、吸着域４に通過させる外気ＯＡを冷却除湿する冷却除湿手段２０、熱交換手段１２で除湿空気ＳＡと熱交換させた高温排気ＥＡを加熱する補助加熱手段２４夫々の具体的な構成も種々の構成変更が可能である。
【０１０９】
また、熱交換手段１２での熱交換量を調整する熱交換量調整手段１４ａ，１４ｂ、混合手段１７での外気ＯＡと高温排気ＥＡとの混合比を調整する混合比調整手段１８ａ〜１８ｃ、冷却除湿手段２０での外気ＯＡの冷却量を調整する冷却量調整手段２２、補助加熱器２４での高温排気ＥＡの加熱量を調整する加熱量調整手段２５夫々の具体的な構成も種々の構成変更が可能である。
【０１１０】
対象室１は乾燥室や乾燥炉に限らず、低湿空気ＳＡを必要としまた高温排気ＥＡの排出があるものであれば、種々の製造室や作業室あるいは種々の試験室など、どのような用途のものであってもよい。
【産業上の利用可能性】
【０１１１】
本発明による熱回収式の低湿空気供給システムは、低湿空気を必要としまた高温排気の排出がある各種分野において、低湿空気の安定供給及び熱回収による省エネルギ化に有効である。
【符号の説明】
【０１１２】
Ｘ                吸着剤
３                吸着ロータ
４                吸着域
５                脱着域
２                吸着ロータ式除湿装置
ＯＡ              外気
１                対象室
６，８            給気手段
ＥＡ              高温排気
９，１０          排気手段
１２              熱交換手段
Ｑ２              熱交換量
１４ａ，１４ｂ    熱交換量調整手段
ｄｉ              入口空気露点温度
ｄｏ              出口空気露点温度
ｓｄｏ            設定給気露点温度
１５              除湿制御手段
１７              混合手段
１８ａ〜１８ｃ    混合比調整手段
ｓｄｉ（ｍｉｎ）  設定下限露点温度
１９              下限露点補償制御手段
２０              冷却除湿手段
２２              冷却量調整手段
ｓｄｉ（ｍａｘ）  設定上限露点温度
２３              上限露点補償制御手段
ｔｉ              入口空気乾球温度
ｓｔｉ（ｍａｘ）  設定上限乾球温度
Ｃ                熱源熱媒
ｑ                保有熱
２４              補助加熱手段
２５              加熱量調整手段
【図１】
2011255264.tif 000003